(57)【要約】【課題】一様な輝度で光らせることが可能な発光部分を有する手摺り。【解決手段】手摺り１が握持部２と光源２５とを有する。握持部２は、握持部内の光を握持部外に向かって照射可能な透過性部分と照射不能な非透過性部分とを含む。非透過性部分はパイプ１６によって形成され、透過性部分はパイプ１６に充填されていて光透過性材料からなる第１，第２充填部材１７，１８によって形成される。第１充填部材１７は、パイプ１６の周面に形成されていてパイプ１６の内外に通じる透孔４にパイプ１６の内外から嵌合する。第２充填部材１８は、握持部２の両端部近傍にまで延びていて、両端面３１，３２の少なくとも一方が光源２５と向かい合う。第１充填部材１７と第２充填部材１８とが透孔４の内側では、パイプ１６の径方向において面接触する。【選択図】図２
2008111229.tif 000002
【特許請求の範囲】
【請求項１】
両端部を有する棒状の握持部と、前記握持部を壁面に対して固定するための取り付け部と、前記両端部の少なくとも一方の近傍に設けられる光源とを有し、前記握持部の表面が前記光源から前記握持部内へ進む前記光を前記握持部外へ向かって照射可能な透過性部分と照射不能な非透過性部分とを含む手摺りであって、
前記握持部が、前記両端部を含んでいて前記非透過性部分を形成しているパイプと、前記パイプの内部に充填された光透過性材料からなっていて前記透過性部分を形成している第１，第２充填部材とを有し、前記第１充填部材は、前記パイプの周面に形成されていて前記パイプの内外に通じる透孔に前記パイプの内側から嵌合するものであり、前記第２充填部材は、前記握持部の前記両端部近傍にまで延びていて前記両端部近傍に位置する両端面の少なくとも一方が前記光源と向かい合うものであり、前記透孔の内側では前記パイプの径方向において前記第１充填部材と前記第２充填部材とが面接触しており、前記光源から発せられて前記一方の端面から前記第２充填部材へ進入した光が前記第１充填部材を介して前記透孔の外へ向かって照射されることを特徴とする前記手摺り。
【請求項２】
前記第１，第２充填部材が前記パイプの内周面に接触している請求項１記載の手摺り。
【請求項３】
前記第１充填部材と前記第２充填部材とが前記透孔の内側で前記パイプの径方向において面接触する互いの部位の少なくとも一方は、光拡散効果を有する粗面を成している請求項１または２記載の手摺り。
【請求項４】
前記第１充填部材と前記第２充填部材とが前記透孔の内側で前記パイプの径方向において面接触する互いの部位の少なくとも一方には、光透過性であってかつ光拡散効果を有するシート片が接合している請求項３記載の手摺り。
【請求項５】
前記シート片が粘着性テープ片である請求項４記載の手摺り。
【請求項６】
前記第１充填部材は、前記パイプの内側から前記透孔へ嵌合する第１部位と、前記パイプの内周面に接触する第２部位と、前記第２充填部材に面接触する第３部位とを有し、前記第２充填部材が前記パイプの内周面に接触する第４部位と、前記第１充填部材に面接触する第５部位とを有している請求項１〜５のいずれかに記載の手摺り。
【請求項７】
前記第２充填部材は、前記一方の端面の反対端面が、前記握持部の端部近傍に設けられている光沢面と向かい合っている請求項１〜６のいずれかに記載の手摺り。
【発明の詳細な説明】
【技術分野】
【０００１】
この発明は建築物等において使用するのに好適な手摺りに関し、より詳しくは手摺りの一部分を発光させることが可能な前記手摺りに関する。
【背景技術】
【０００２】
従来、棒状の握持部と、その握持部の所要部位に形成された取り付け部とを有し、取り付け部を介して握持部が壁面に固定される手摺りは周知である。また、特開２００５−１８８０３０号公報（特許文献１）は、握持部の一部分が発光可能に形成されている手摺りを開示している。この公知の手摺りでは、アルミ押出管にその長手方向へ延びる一条のスリットが形成される。アルミ押出管はまたその外側が光透過性合成樹脂のチューブによって被覆され、その内側には、複数個の発光ダイオードが一列に並ぶ配線基板が挿入されている。発光ダイオードの光はスリットから出てチューブを通過し、手摺りの外に向かって照射される。手摺りは、スリットが発光部分となって、その位置を明示することができるから、夜間に歩行者を案内する標識となり得る。
【特許文献１】特開２００５−１８８０３０号公報
【発明の開示】
【発明が解決しようとする課題】
【０００３】
前記公知の手摺りは、発光部分の全体を一様な輝度で光らせようとすると、発光ダイオード等の光源を複数個互いに接近して並べなければならない。しかも、手摺りが長くなるに従って多数の光源が必要になるばかりでなく、配線基板も複雑なものになる。
【０００４】
この発明では、多数の光源を使用しなくても手摺りの所要部位を一様な輝度で光らせることができるような手摺りの提供を課題にしている。
【課題を解決するための手段】
【０００５】
前記課題を解決するために、この発明が対象とするのは、両端部を有する棒状の握持部と、前記握持部を壁面に対して固定するための取り付け部と、前記両端部の少なくとも一方の近傍に設けられる光源とを有し、前記握持部の表面が前記光源から前記握持部内へ進む前記光を前記握持部外へ向かって照射可能な透過性部分と照射不能な非透過性部分とを含む手摺りである。
【０００６】
かかる手摺りにおいて、この発明が特徴とするところは、次のとおりである。前記握持部は、前記両端部を含んでいて前記非透過性部分を形成しているパイプと、前記パイプの内部に充填された光透過性材料からなっていて前記透過性部分を形成している第１，第２充填部材とを有する。前記第１充填部材は、前記パイプの周面に形成されていて前記パイプの内外に通じる透孔に前記パイプの内側から嵌合するものである。前記第２充填部材は、前記握持部の前記両端部近傍にまで延びていて前記両端部近傍に位置する両端面の少なくとも一方が前記光源と向かい合っているものである。前記透孔の内側では、前記パイプの径方向において、前記第１充填部材と前記第２充填部材とが面接触しており、前記光源から発せられて前記一方の端面から前記第２充填部材へ進入した光は、前記第１充填部材を介して前記透孔の外へ向かって照射される。
【０００７】
この発明の好ましい実施態様の一つにおいて、前記第１，第２充填部材が前記パイプの内周面に接触している。
【０００８】
この発明の好ましい実施態様の他の一つにおいて、前記第１充填部材と前記第２充填部材とが前記透孔の内側で前記パイプの径方向において面接触する互いの部位の少なくとも一方は、光拡散効果を有する粗面を成している。
【０００９】
この発明の好ましい実施態様の他の一つにおいて、前記第１充填部材と前記第２充填部材とが前記透孔の内側で前記パイプの径方向において面接触する互いの部位の少なくとも一方には、光透過性であってかつ光拡散効果を有するシート片が接合している。
【００１０】
この発明の好ましい実施態様の他の一つにおいて、前記シート片が粘着性テープ片である。
【００１１】
この発明の好ましい実施態様の他の一つにおいて、前記第１充填部材は、前記パイプの内側から前記透孔へ嵌合する第１部位と、前記パイプの内周面に接触する第２部位と、前記第２充填部材に面接触する第３部位とを有し、前記第２充填部材が前記パイプの内周面に接触する第４部位と、前記第１充填部材に面接触する第５部位とを有している。
【００１２】
この発明の好ましい実施態様のさらに他の一つにおいて、前記第２充填部材は、前記一方の端面の反対端面が、前記握持部の端部近傍に設けられている光沢面と向かい合っている。
【発明の効果】
【００１３】
この発明に係る手摺りは、その握持部を形成していて光が非透過性であるパイプの内部に光透過性材料によって形成された第１，第２充填部材を有し、パイプに形成された透孔の内側では、パイプの径方向において、第１，第２充填部材が面接触しているから、握持部の両端部近傍に位置する第２充填部材の端面の少なくとも一方に、これと向かい合う光源からの光が進入すると、その光の一部が第１充填部材へ進入し、パイプの透孔からパイプの外に向かって照射される。第１充填部材には、第２充填部材の中で一様に広がった光が進入するので、手摺りにおける光源が一つであっても第１充填部材の全体が、換言するとパイプに形成された透孔の内側全体が一様な輝度で光る。
【００１４】
第１，第２充填部材がパイプ内周面に接触している態様のこの発明では、その接触によって、第１，第２充填部材がパイプの内部で動くことを抑えることができる。また、その内周面を光沢面にしておくことによって、第２充填部材からパイプの内部へ漏れた光を再び第２充填部材へ戻すことができる。
【００１５】
第１充填部材と第２充填部材とが接触する互いの部位の少なくとも一方が光拡散効果のある粗面である態様のこの発明によれば、第２充填部材の光は、その粗面において拡散光となってから第１充填部材へ進入するので、透孔の内側を一様な輝度で光らせることが容易になる。
【００１６】
第１充填部材と第２充填部材とが接触する互いの部位は、その部位のいずれかに光拡散効果を有する光透過性のシート片を接合することによって、その部位を粗面にすることに代えることができる。そのシート片には、光拡散効果を有する粘着性テープを使用することができる。
【００１７】
第１充填部材が第１，第２，第３部位を有し、第２充填部材が第４，第５部位を有する態様のこの発明では、第１部位がパイプの長さ方向と周方向とにおける第１充填部材の動きを止めることができ、互いに面接触する第３部位と第５部位とはパイプの径方向における第１，第２充填部材の動きを止めると同時にパイプの周方向における第２充填部材の動きを止めることができる。
【００１８】
第２充填部材における前記一方の端面の反対端面が光沢面と向かい合っている態様のこの発明では、その反対端面から外へ出た光を光沢面で反射させて再び第２充填部材へ進入させ、透孔の内側における第１充填部材の輝度を高めることができる。
【発明を実施するための最良の形態】
【００１９】
添付の図面を参照して、この発明に係る手摺りの詳細を説明すると、以下のとおりである。
【００２０】
図１は、手摺り１の斜視図である。手摺り１は、棒状、図においては円柱を成す棒状の握持部２と、握持部２の両端部に形成された取り付け部である第１，第２ブラケット３ａ，３ｂとを有する。握持部２には、長円形の発光部を形成する透孔４が縦列するように形成されている。第１，第２ブラケット３ａ，３ｂは、手摺り１を壁面等に固定するときに使用するねじ穴６を有する。第１ブラケット３ａは、その内側に光源として使用する発光ダイオード組立体２５（図２参照）を有し、その発光ダイオード組立体２５につながる電源コード１２が第１ブラケット３ａの外へ延びている。
【００２１】
手摺り１は、発光ダイオード組立体２５における発光ダイオード（図示せず）が点灯すると、発光ダイオードからの光が握持部２の内側を握持部２の長さ方向へ進み、その光の一部が透孔４から握持部２の外側へ向かって照射される。したがって、手摺り１の周囲が暗いときには、透孔４の内側が発光部分となって手摺り１の存在が顕在化し、手摺り１が歩行者等にとっての標識となる。
【００２２】
図２，３，４は、図１のＩＩ−ＩＩ線、ＩＩＩ−ＩＩＩ線、ＩＶ−ＩＶ線に沿う切断面を示す図である。図２において、握持部２は、パイプ１６と、パイプ１６の内側に納められた第１，第２充填部材１７，１８とを含んでいる。パイプ１６は、光が非透過性となるように金属や不透明に着色したり塗装したりした熱可塑性プラスチック等によって形成されており、その周壁にはパイプ１６の内外につながる透孔４が形成されている。第１，第２充填部材１７，１８は、アクリル樹脂やポリカーボネート樹脂、ポリエステル樹脂、無機ガラス等の光透過性材料で形成されている。第１充填部材１７は、パイプ１６の内側から透孔４に嵌合していて、パイプ１６の内側では透孔４よりもやや長く作られている。第２充填部材１８はパイプ１６とほぼ同じ長さを有していて、パイプ１６の両端部近傍、すなわち握持部２の両端部近傍にまで延びている。図２，３に示されたパイプ１６の径方向において、透孔４の内側では、第１充填部材１７と第２充填部材１８とが互いの面１７ａと１８ａとにおいて面接触している。第１ブラケット３ａは、パイプ１６を回転不能に支持することのできるパイプ挿入部２１と、図においてパイプ挿入部２１の左方に形成された光源収納部２２とを有する。光源収納部２２には、発光ダイオード（図示せず）やそのためのケーシング２３、レンズ２４、リード線２６等を含む発光ダイオード組立体２５がねじ２７によって取り付けられている。発光ダイオード組立体２５は、平滑な外面（図示せず）を有するレンズ２４が第２充填部材１８における平滑な端面３１に図の左方から当接して、第２充填部材１８が左方へ動くことを阻止している。第２ブラケット３ｂは、その内部構造が第１ブラケット３ａと同じように形成されているものであるが、発光ダイオード組立体２５に代えて、これとほぼ同じ形状に作られているストッパー組立体２８がねじ２９によって取り付けられている。ストッパー組立体２８は、第２ブラケット３ｂに挿入されたパイプ１６に納まる第２充填部材１８の平滑な端面３２に図の右方から当接して、第２充填部材１８が右方へ動くことを阻止している。
【００２３】
図３には、握持部２における円筒状のパイプ１６の切断面が示されている。パイプ１６の周壁３４には、パイプ１６の内外に通じる透孔４が形成されている。パイプ１６の内側には、第１，第２充填部材１７，１８が納められている。第１充填部材１７は、パイプ１６の内側から透孔４へ嵌合する第１部位４１と、パイプ１６の内周面に接触する第２部位４２と、第２充填部材１８の平面１８ａに当接する平面１７ａを含む第３部位４３とを有している。第２充填部材１８は、パイプ１６の内周面に当接する第４部位４４と、第１充填部材１７の平面１７ａに当接する平面１８ａを含む第５部位４５とを有している。かような第１充填部材１７は、第１部位４１が透孔４の周縁部分に当接するのでパイプ１６の長さ方向と周方向とへ動くことがない。また、第１充填部材１７と第２充填部材１８とは、互いの平面１７ａと平面１８ａとが当接しているので、パイプ１６の周方向へ動くことがない。これらの平面１７ａと平面１８ａとは、平滑な光沢面である場合と、少なくとも一方の面が光拡散性を有する粗面である場合とがある。
【００２４】
図４に示された握持部２では、パイプ１６の内側に第２充填部材１８のみが現れている。第１充填部材１７は、透孔４に嵌合して、後記するように透孔４の内側を発光部分とするためのもので、図２に示されているように透孔４よりも僅かに長く作られていればよいものであるから、図４の切断面には現れていない。
【００２５】
かように形成されている手摺り１では、電源がオンになって発光ダイオード組立体２５が発光すると、そこからの光が第２充填部材１８に端面３１から進入して端面３２へと向かい、その間に、一部の光は第２充填部材１８の第５部位４５を出て第１充填部材１７の第３部位４３から第１充填部材１７へ進入する。光はさらに、第１充填部材１７の第１部位から握持部２の外へ向かって照射される。ただし、第２充填部材１８の周面から外に出てパイプ１６の内周面へ向かった光は握持部２の外へ向かって照射されることがない。それゆえ、手摺り１では、握持部２のうちの透孔４の内側が手摺り１における局部的な発光部分となって手摺り１の存在を顕在化させ、手摺り１を標識として使用することを可能にする。
【００２６】
発光部分である透孔４の内側の輝度を高くしたいときには、ブラケット３ｂで使用されているストッパー組立体２８をブラケット３ａで使用されている発光ダイオード組立体２５に代えて、第２充填部材１８に端面３２からも光を進入させることができる。また、第１充填部材１７における第１部位４１の全体を一様な輝度にしたいときには、第１，第２充填部材１７，１８の第３，第５部位４３，４５における平面１７ａ，１８ａの少なくとも一方を光拡散効果のある粗面にすることが好ましい。そのような粗面は、例えばアクリル樹脂で作られた第１，第２充填部材１７，１８における平滑な平面１７ａ，１８ａの少なくとも一方をサンドペーパで処理することによって得ることができる。
【００２７】
図５は、この発明の実施態様の一例を示すもので、図３と同様な図を部分的に拡大して示している。図５における第１充填部材１７の平面１７ａには、例えば商品名メンディングテープ（住友スリーエム社製）として知られるような、光透過性ではあるが表面が粗面である粘着性テープ等のシート片４８が貼ってある。このような第１充填部材１７では、平面１７ａから進入する光が拡散光となって、第１部位４１の全体がほぼ一様な輝度を有する発光部分となる。また、このシート片４８として適宜の色に着色したものを使用すれば、第１部位４１を簡単にその色のものにすることができる。
【００２８】
この発明において、パイプ１６の内周面に光沢を持たせておくと、第２充填部材１８の周面から外へ出た光がその内周面で反射されて第２充填部材１８へ再び進入することが容易になり、第１充填部材１７における第１部位４１の輝度を向上させることができる。また、ストッパー組立体２８のうちで第２充填部材１８に当接する部位を光沢面にして第２充填部材１８から外へ出た光を反射させ、その光を再び第２充填部材１８へ進入させることによっても第１部位４１の輝度を向上させることができる。
【００２９】
この発明に係る手摺り１は、握持部２を組み立てるときに、最初に第１充填部材１７をパイプ１６に挿入して所定の部位にセットし、しかる後に第２充填部材１８をパイプ１６に挿入する。かくすることによって、パイプ１６の透孔４の内側が第１充填部材１７によって満たされている握持部２を簡単に得ることができる。また、第１充填部材１７と第２充填部材１８とは、これらを形成するプラスチックや無機ガラス等の素材が互いに異なるものであってもよいし、色が互いに異なるものであってもよい。
【産業上の利用可能性】
【００３０】
この発明によれば、標識としての機能を有する手摺りの製造が可能になる。
【図面の簡単な説明】
【００３１】
【図１】手摺りの斜視図。
【図２】図１のＩＩ−ＩＩ線切断面を示す図。
【図３】図１のＩＩＩ−ＩＩＩ線切断面を示す図。
【図４】図１のＩＶ−ＩＶ線切断面を示す図。
【図５】実施態様の一例を示す図３と同様な図を部分的に拡大して示す図。
【符号の説明】
【００３２】
１    手摺り
２    握持部
３ａ，３ｂ    取り付け部（ブラケット）
４    透孔
１６    パイプ
１７    第１充填部材
１８    第２充填部材
２５    光源
３１    端面
３２    端面（反対端面）
４１    第１部位
４２    第２部位
４３    第３部位
４４    第４部位
４５    第５部位
４８    シート片
【図１】
2008111229.tif 000003
【図２】
2008111229.tif 000004
【図３】
2008111229.tif 000005
【図４】
2008111229.tif 000006
【図５】
2008111229.tif 000007